(57)【要約】      （修正有）【課題】ヘアカラーリングの施術に際して、顧客の染毛前の毛髪の状態に応じて、顧客が希望する染上がりの髪色を実現するために最適のヘアカラーリング製品の染料色を容易に選択することができるカラーチャートの提供。【解決手段】染毛前の毛髪の色の明度段階を表示する第１の軸２と、第１の軸２に直交して配置された、ヘアカラー製品によって染色された毛髪の色の明度段階を表示する第２の軸３と、第１の軸２および第２の軸３の対応する位置に当該ヘアカラー製品によって染色された毛髪の色をプロットしたものと、からなるグラフ４がシート１上に印刷される。【選択図】図１
0003113073.tif 000002
【実用新案登録請求の範囲】
【請求項１】
ヘアカラー製品による染毛の前に、そのヘアカラー製品によって染色された時の毛髪の色を顧客に提示するために使用するカラーチャートであって、
染毛前の毛髪の色の明度段階を表示する第１の軸と、前記第１の軸に直交して配置された、前記ヘアカラー製品によって染色された毛髪の色の明度段階を表示する第２の軸と、前記第１および第２の軸の対応する位置に前記ヘアカラー製品によって染色された毛髪の色をプロットしたものと、からなるグラフがシート上に印刷されたものであることを特徴とするカラーチャート。
【請求項２】
前記グラフ上には、前記第１の軸に表示された明度段階の特定の段階に分類された前記染毛前の毛髪の前記ヘアカラー製品による染色後の色のカラーパッチが印刷されていることを特徴とする請求項１に記載のカラーチャート。
【請求項３】
前記第１の軸の明度段階は、前記第２の軸から遠ざかる方向に徐々に高くなるように、前記第２の軸の明度段階は、前記第１の軸から遠ざかる方向に徐々に高くなるように設定されていることを特徴とする請求項１または請求項２に記載のカラーチャート。
【請求項４】
前記第１および第２の軸には、それぞれ、その明度段階に対応するカラーパッチの列が印刷されていることを特徴とする請求項１〜請求項３のいずれかに記載のカラーチャート。
【請求項５】
前記カラーチャートは、ヘアカラー製品の染料色の色相毎に各１枚備えられることを特徴とする請求項１〜請求項４のいずれかに記載のカラーチャート。
【考案の詳細な説明】
【技術分野】
【０００１】
本考案は、ヘアカラー製品による染毛の前に、その製品によって染色された時の毛髪の色を顧客に提示するために使用するカラーチャートに関する。
【背景技術】
【０００２】
ヘアカラー製品によって毛髪が染色される場合、同じヘアカラー製品が使用されても、染毛前の毛髪の明度段階（漂白段階）に依存して、染色された毛髪の色が大きく異なる。その理由は次の通りである。すなわち、以前にヘアカラー製品による染色を受けた毛髪、つまり漂白された毛髪は、黒髪に比べてメラニン色素の含有量が少ない。そして、ヘアカラー製品による染色がなされる場合、毛髪にヘアカラー製品の染料が染着されるが、メラニン色素の含有量が多い毛髪では、染料の染着量は少ないが、メラニン色素の含有量が少ない毛髪では、染料の染着量が多くなる。その結果、メラニン色素の含有量が少ない毛髪ほど、染料の色がより強調され、明度および彩度の高い色となる。
この染色後の髪色の違いは、同一人の毛髪における毛先と生え際においても生じる。
【０００３】
したがって、美容師は、へカラーリングの施術に際し、顧客の染毛前の毛髪の状態を調べ、毛髪の漂白段階を考慮しながら、各ヘアカラー製品によって染色された時の毛髪の色を予測しながら、ヘアカラー製品のラインアップを構成する製品群から適切な製品を選択し、顧客が希望する色にできるだけ近似した仕上がり色を実現しなければならない。
しかし、この作業には経験と勘が必要とされ、熟練した美容師でなければ満足のいくヘアカラーリングの施術を行うことができなかった。
【考案の開示】
【考案が解決しようとする課題】
【０００４】
したがって、本考案の課題は、ヘアカラーリングの施術に際して、顧客の染毛前の毛髪の状態に応じて、顧客が希望する染上がりの髪色を実現するために最適のヘアカラーリング製品の染料色を容易に選択することができる手段を提供することにある。
【課題を解決するための手段】
【０００５】
上記課題を解決するため、本考案は、ヘアカラー製品による染毛の前に、そのヘアカラー製品によって染色された時の毛髪の色を顧客に提示するために使用するカラーチャートであって、染毛前の毛髪の色の明度段階を表示する第１の軸と、前記第１の軸に直交して配置された、前記ヘアカラー製品によって染色された毛髪の色の明度段階を表示する第２の軸と、前記第１および第２の軸の対応する位置に前記ヘアカラー製品によって染色された毛髪の色をプロットしたものと、からなるグラフ４がシート上に印刷されたものであることを特徴とするカラーチャートを構成したものである。
【０００６】
上記構成において、好ましくは、前記グラフ上には、前記第１の軸に表示された明度段階の特定の段階に分類された前記染毛前の毛髪の前記ヘアカラー製品による染色後の色のカラーパッチが印刷されている。
また好ましくは、前記第１の軸の明度段階は、前記第２の軸から遠ざかる方向に徐々に高くなるように、前記第２の軸の明度段階は、前記第１の軸から遠ざかる方向に徐々に高くなるように設定されている。
さらに、前記第１および第２の軸には、それぞれ、その明度段階に対応するカラーパッチの列が印刷されていることが好ましい。
また、前記カラーチャートは、ヘアカラー製品の染料色の色相毎に各１枚備えられることが好ましい。
【考案の効果】
【０００７】
本考案によれば、ヘアカラー製品によって染色された時の毛髪の色と、染毛前の毛髪の色の明度段階および染毛後の毛髪の色の明度段階との対応関係をカラーチャート化したので、ヘアカラーリングの施術前に、顧客の染毛前の毛髪の状態（明度段階）から、当該ヘアカラー製品によって染色された時の毛髪の色およびその明度段階を、このカラーチャートを見るだけで、極めて容易に把握することができる。
よって、このカラーチャートを使用することによって、経験や勘に頼ることなく、ヘアカラー製品の染料色の選択を行うことができる。
【考案を実施するための最良の形態】
【０００８】
以下、添付図面を参照して、本考案の好ましい実施例について説明する。図１は、本考案の１実施例によるヘアカラーリング用カラーチャートの平面図である。図１を参照して、本考案によるヘアカラーリング用カラーチャートは、染毛前の毛髪の色の明度段階を表示する第１の軸２と、第１の軸２に直交して配置された、ヘアカラー製品によって染色された毛髪の色の明度段階を表示する第２の軸３と、第１の軸２および第２の軸３の対応する位置に当該ヘアカラー製品によって染色された毛髪の色をプロットしたものと、からなるグラフ４がシート１上に印刷されたものから構成されている。
【０００９】
第１の軸２の明度段階は、第２の軸３から遠ざかる方向に徐々に高くなるように、第２の軸３の明度段階は、第１の軸２から遠ざかる方向に徐々に高くなるように設定されている。また、第１の軸２および第２の軸３には、それぞれ、その明度段階に対応するカラーパッチＱ、Ｃの列が印刷されている
【００１０】
カラーチャートは、ヘアカラー製品の染料色の色相毎に各１枚備えられるようになっている。この実施例では、同じ色相に分類される製品が３種類存在するので、１枚のカラーチャートに異なる３つのグラフ４ａ〜４ｃが印刷されている。
【００１１】
また、グラフ４上には、第１の軸２に表示された明度段階の特定の段階に分類された染毛前の毛髪のヘアカラー製品による染色後の色のカラーパッチが表示されている（例えば、グラフ４ａ上のカラーパッチＰ１〜Ｐ８参照）。
【００１２】
次に、本考案によるカラーチャートの具体的な作成方法を説明する。
まず最初、ヘアカラー製品のラインアップを構成する全製品を用いて、それぞれ、異なる明度段階に分類される所定数の毛髪のサンプルが染色され、染色された毛髪の色が公知の測色計によって測定される。なお、サンプルが入手不可能な明度段階の毛髪については、その染色後の色に関するデータが、その前後の明度段階に分類される毛髪の染色された毛髪の色の測定データから公知の補間計算によって算出される。
【００１３】
そして、ヘアカラー製品の染料色の色相毎に、測定データおよび補間計算から算出されたデータに基づいて、シート上に、染毛前の毛髪の色の明度段階を表示する第１の軸と、ヘアカラー製品によって染色された毛髪の色の明度段階を表示する第２の軸が印刷されるとともに、第１の軸および第２の軸の対応する位置に当該ヘアカラー製品によって染色された毛髪の色がプロットされてグラフが作成される。
【００１４】
さらに、測色され、また算出された色と人間が実際に感じる色との相違、人間が持つ製品の染料色に対するイメージ、あるいは、染毛前の毛髪の漂白段階の違い等が考慮され、グラフが修正される。
【００１５】
上述のようにして作成されたカラーチャートは、図２に示されるように、１つの集合体を形成し、ヘアカラー製品のラインアップを構成する全製品について、その染料色の色相毎に、染色時の毛髪の色と、染毛前の毛髪の色の明度段階および染毛後の毛髪の色の明度段階との対応関係を示したカラーチャート集を形成する。
そして、このカラーチャート集を見るだけで、ヘアカラーリングの施術前に、顧客の染毛前の毛髪の状態（明度段階）から、当該ヘアカラー製品によって染色された時の毛髪の色およびその明度段階を、極めて容易に把握することができる。
【図面の簡単な説明】
【００１６】
【図１】本考案の１実施例によるカラーチャートの平面図である。
【図２】ヘアカラー製品の色相毎に各１枚備えられた、図１のカラーチャートの集合体からなるカラーチャート集の斜視図である。
【符号の説明】
【００１７】
１  シート
２  第１の軸
３  第２の軸
４、４ａ〜４ｃ  グラフ
Ｃ  カラーパッチ
Ｐ１〜Ｐ８  カラーパッチ
Ｑ  カラーパッチ
【図２】
0003113073.tif 000003
【図１】
0003113073.tif 000004